(57)【要約】【課題】自己組織化マップを用いて物質の特性を可視化する物質特性可視化法等に関し、物質全体としての特性を容易に比較することができるようにする。【解決手段】複数の物質それぞれにおける、複数の物性値を少なくとも含む複数種類の値を入力する値入力過程（ステップＳ１１）と、ｎ次元座標にノードが規則的に配列されたマップにおける複数のノードのうち、一つの物質につき一つのノードに、複数種類の値を対応付け、類似関係を表す自己組織化マップを作成する自己組織化マップ作成過程（ステップＳ１２）と、自己組織化マップを表示するマップ表示過程（ステップＳ１５）とを有する。【選択図】図５
2014026459.tif 000002
【特許請求の範囲】
【請求項１】
複数の物質それぞれにおける、複数の物性値を少なくとも含む複数種類の値を入力する値入力過程と、
ｎ次元座標にノードが規則的に配列されたマップにおける複数のノードのうち、一つの物質につき一つのノードに、前記複数種類の値を対応付け、類似関係を表す自己組織化マップを作成する自己組織化マップ作成過程と、
前記自己組織化マップを表示するマップ表示過程とを有することを特徴とする物質特性可視化法。
【請求項２】
前記値入力過程で複数種類の値を入力した物質に関するデータを入力するデータ入力過程と、
前記複数種類の値が対応付けられたノードに、対応付けた複数種類の値の物質に関するデータを関連付けるデータ関連付け過程とを有し、
前記マップ表示過程は、前記データが関連付けられたノードが指定されることで、当該データも表示する過程であることを特徴とする請求項１記載の物質特性可視化法。
【請求項３】
前記マップ表示過程は、前記自己組織化マップとして、一つのノードに前記複数種類の値を対応付けた総合自己組織化マップの他に、前記複数種類のうち一種類が指定されることで、一つのノードに当該一種類の値を対応付け、当該一種類の値の類似関係を表す個別自己組織化マップも表示する過程であることを特徴とする請求項１又は２記載の物質特性可視化法。
【請求項４】
複数の物質それぞれにおける、複数の物性値を少なくとも含む複数種類の値を入力する値入力部と、
ｎ次元座標にノードが規則的に配列されたマップにおける複数のノードのうち、一つの物質につき一つのノードに、前記複数種類の値を対応付け、類似関係を表す自己組織化マップを作成する自己組織化マップ作成部と、
前記自己組織化マップを表示するマップ表示部とを有することを特徴とする物質特性可視化装置。
【請求項５】
前記値入力部で複数種類の値を入力した物質に関するデータを入力するデータ入力部と、
前記複数種類の値が対応付けられたノードに、対応付けた複数種類の値の物質に関するデータを関連付けるデータ関連付け部と、
前記ノードを指定するノード指定部とを有し、
前記マップ表示部は、前記データが関連付けられたノードが前記ノード指定部で指定されることで、当該データも表示するものであることを特徴とする請求項４記載の物質特性可視化装置。
【請求項６】
前記複数種類のうち一種類を指定する種類指定部を有し、
前記マップ表示部は、前記自己組織化マップとして、一つのノードに前記複数種類の値を対応付けた総合自己組織化マップの他に、前記複数種類のうち一種類が前記種類指定部で指定されることで、一つのノードに当該一種類の値を対応付け、当該一種類の値の類似関係を表す個別自己組織化マップも表示するものであることを特徴とする請求項４又は５記載の物質特性可視化装置。
【請求項７】
表示装置を有するコンピュータ内で実行され、複数の物質それぞれにおける、複数の物性値を少なくとも含む複数種類の値が入力された該コンピュータを物質特性可視化装置として動作させる物質特性可視化プログラムにおいて、
前記コンピュータ上に、
ｎ次元座標にノードが規則的に配列されたマップにおける複数のノードのうち、一つの物質につき一つのノードに、前記複数種類の値を対応付け、類似関係を表す自己組織化マップを作成する自己組織化マップ作成部と、
前記自己組織化マップを前記表示装置に表示させるマップ表示部とを構築することを特徴とする物質特性可視化プログラム。
【請求項８】
前記コンピュータ上に、
前記複数種類の値が対応付けられたノードに、対応付けた複数種類の値の物質に関するデータを関連付けるデータ関連付け部と、
前記ノードを指定するノード指定部とを構築し、
前記マップ表示部は、前記データが関連付けられたノードが前記ノード指定部で指定されることで、当該データも前記表示装置に表示させるものであることを特徴とする請求項７記載の物質特性可視化プログラム。
【請求項９】
前記コンピュータ上に、
前記複数種類のうち一種類を指定する種類指定部を構築し、
前記マップ表示部は、前記自己組織化マップとして、一つのノードに前記複数種類の値を対応付けた総合自己組織化マップの他に、前記複数種類のうち一種類が前記種類指定部で指定されることで、一つのノードに当該一種類の値を対応付け、当該一種類の値の類似関係を表す個別自己組織化マップも前記表示装置に表示させるものであることを特徴とする請求項７又は８記載の物質特性可視化プログラム。
【請求項１０】
請求項７から９のうちいずれか１項記載の物質特性可視化プログラムを記録したことを特徴とするコンピュータ読取可能な記録媒体。
【発明の詳細な説明】
【技術分野】
【０００１】
本発明は、自己組織化マップを用いて物質の特性を可視化する物質特性可視化法、その方法を実行する物質特性可視化装置、コンピュータ内で実行され、そのコンピュータをその装置として動作させる物質特性可視化プログラム、およびそのプログラムを記録した記録媒体に関する。
【背景技術】
【０００２】
従来より、類似関係を表すマップとして自己組織化マップというものが知られている。この自己組織化マップは、Ｔ．コホネン氏によって提案されたマップであって、高次元の入力データを、高次元空間内における入力データの類似関係を保ったまま低次元空間へ写像したマップである。このマップを使った応用例として、一種類の分子構造体の取り得る立体構造をマップ化する技術が提案されている（例えば、特許文献１参照）。
【０００３】
ところで、物質には実に様々なものがあり、同じ名称でくくられている物質であっても、成分自体や成分含有比や製造方法等が異なることから、その物性値等も千差万別である。ＭＳＤＳ（Ｍａｔｅｒｉａｌ  Ｓａｆｅｔｙ  Ｄａｔａ  Ｓｈｅｅｔ）が提供される物質では、ＭＳＤＳによって、非常に大まかな成分や成分含有比、一般的な物性値（例えば、沸点や比重）を得ることができる場合がある。
【先行技術文献】
【特許文献】
【０００４】
【特許文献１】特開２００７−２７７２３４号公報
【発明の概要】
【発明が解決しようとする課題】
【０００５】
しかしながら、実際の材料選択の場面では、ＭＳＤＳから得られる情報では情報不足は否めない。特に、異なる製造会社の同一名称の物質から好適な材料を選択しようとする場面では、物質全体としての特性を比較することは極めて困難である。
【０００６】
本発明は上記事情に鑑み、物質全体としての特性を容易に比較することができる、物質特性可視化法、物質特性可視化装置、物質特性可視化プログラム、および記録媒体を提供することを目的とする。
【課題を解決するための手段】
【０００７】
上記目的を解決する本発明の物質特性可視化法は、複数の物質それぞれにおける、複数の物性値を少なくとも含む複数種類の値を入力する値入力過程と、
ｎ次元座標にノードが規則的に配列されたマップにおける複数のノードのうち、一つの物質につき一つのノードに、前記複数種類の値を対応付け、類似関係を表す自己組織化マップを作成する自己組織化マップ作成過程と、
前記自己組織化マップを表示するマップ表示過程とを有することを特徴とする。
【０００８】
ここにいう物質としては、例えば、組成が異なる樹脂等があげられる（以下、同じ）。また、複数の物質の数または／および複数種類の値の数よりも少ない所定数であればよく、例えば、ｎ次元座標は、２次元座標、あるいは３次元座標等であってもよい（以下、同じ）。さらに、複数種類の値には、物性値の他に、視覚や触覚などによる官能評価の結果を表す値等も含まれる（以下、同じ）。
【０００９】
本発明の物質特性可視化法によれば、一つの物質につき一つのノードに、前記複数種類の値を対応付けた自己組織化マップを作成するため、物質全体としての特性を容易に比較することができる。
【００１０】
また、前記値入力過程で複数種類の値を入力した物質に関するデータを入力するデータ入力過程と、
前記複数種類の値が対応付けられたノードに、対応付けた複数種類の値の物質に関するデータを関連付けるデータ関連付け過程とを有し、
前記マップ表示過程は、前記データが関連付けられたノードが指定されることで、当該データも表示する過程であることが好ましい。
【００１１】
ここにいう物質に関するデータとは、例えば、物質を表すデータ（ＩＲチャートや既知の成分組成等）があげられる（以下、同じ）。
【００１２】
こうすることで、物質全体としての特性を容易に把握することができるとともに、物質に関するデータを個別に参照することもでき、総合的な観点と個別的な観点といった２つの観点から材料選択等を行うことが可能になる。
【００１３】
さらに、前記マップ表示過程は、前記自己組織化マップとして、一つのノードに前記複数種類の値を対応付けた総合自己組織化マップの他に、前記複数種類のうち一種類が指定されることで、一つのノードに当該一種類の値を対応付け、当該一種類の値の類似関係を表す個別自己組織化マップも表示する過程である態様も好ましい。
【００１４】
この態様によれば、物質全体としての特性を容易に比較することができるとともに、着目したい個々の種類の値も容易に比較することができ、総合的な観点と個別的な観点といった２つの観点からより容易に材料選択等を行うことが可能になる。
【００１５】
なお、ここにいう個別自己組織化マップは、前記自己組織化マップ作成過程で作成しておいてもよいし、前記複数種類のうち一種類が指定された時点で作成するようにしてもよい。
【００１６】
上記目的を解決する本発明の物質特性可視化装置は、複数の物質それぞれにおける、複数の物性値を少なくとも含む複数種類の値を入力する値入力部と、
ｎ次元座標にノードが規則的に配列されたマップにおける複数のノードのうち、一つの物質につき一つのノードに、前記複数種類の値を対応付け、類似関係を表す自己組織化マップを作成する自己組織化マップ作成部と、
前記自己組織化マップを表示するマップ表示部とを有することを特徴とする。
【００１７】
本発明の物質特性可視化装置によれば、一つの物質につき一つのノードに、前記複数種類の値を対応付けた自己組織化マップを作成するため、物質全体としての特性を容易に比較することができる。
【００１８】
また、前記値入力部で複数種類の値を入力した物質に関するデータを入力するデータ入力部と、
前記複数種類の値が対応付けられたノードに、対応付けた複数種類の値の物質に関するデータを関連付けるデータ関連付け部と、
前記ノードを指定するノード指定部とを有し、
前記マップ表示部は、前記データが関連付けられたノードが前記ノード指定部で指定されることで、当該データも表示するものであることが好ましい。
【００１９】
さらに、前記複数種類のうち一種類を指定する種類指定部を有し、
前記マップ表示部は、前記自己組織化マップとして、一つのノードに前記複数種類の値を対応付けた総合自己組織化マップの他に、前記複数種類のうち一種類が前記種類指定部で指定されることで、一つのノードに当該一種類の値を対応付け、当該一種類の値の類似関係を表す個別自己組織化マップも表示するものである態様も好ましい。
【００２０】
上記目的を解決する本発明の物質特性可視化プログラムは、表示装置を有するコンピュータ内で実行され、複数の物質それぞれにおける、複数の物性値を少なくとも含む複数種類の値が入力された該コンピュータを物質特性可視化装置として動作させる物質特性可視化プログラムにおいて、
前記コンピュータ上に、
ｎ次元座標にノードが規則的に配列されたマップにおける複数のノードのうち、一つの物質につき一つのノードに、前記複数種類の値を対応付け、類似関係を表す自己組織化マップを作成する自己組織化マップ作成部と、
前記自己組織化マップを前記表示装置に表示させるマップ表示部とを構築することを特徴とする。
【００２１】
ここで、複数の物質それぞれにおける、複数の物性値を少なくとも含む複数種類の値を取得する値取得部を構築するプログラムであってもよい。
【００２２】
本発明の物質特性可視化プログラムによっても、一つの物質につき一つのノードに、前記複数種類の値を対応付けた自己組織化マップが作成され、物質全体としての特性を容易に比較することができる。
【００２３】
また、前記コンピュータ上に、
前記複数種類の値が対応付けられたノードに、対応付けた複数種類の値の物質に関するデータを関連付けるデータ関連付け部と、
前記ノードを指定するノード指定部とを構築し、
前記マップ表示部は、前記データが関連付けられたノードが前記ノード指定部で指定されることで、当該データも前記表示装置に表示させるものであることが好ましい。
【００２４】
さらに、前記コンピュータ上に、
前記複数種類のうち一種類を指定する種類指定部を構築し、
前記マップ表示部は、前記自己組織化マップとして、一つのノードに前記複数種類の値を対応付けた総合自己組織化マップの他に、前記複数種類のうち一種類が前記種類指定部で指定されることで、一つのノードに当該一種類の値を対応付け、当該一種類の値の類似関係を表す個別自己組織化マップも前記表示装置に表示させるものであることも好ましい。
【００２５】
上記目的を解決する本発明の記録媒体は、本発明の物質特性可視化プログラムを記録したことを特徴とする。
【発明の効果】
【００２６】
本発明によれば、物質全体としての特性を容易に比較することができる、物質特性可視化法、物質特性可視化装置、物質特性可視化プログラム、および記録媒体を提供することができる。
【図面の簡単な説明】
【００２７】
【図１】本発明の物質特性可視化装置の一実施形態を含むコンピュータシステムの一例を示す模式図である。
【図２】図１に外観を示すサーバ用コンピュータのハードウェア構成図である。
【図３】ＤＶＤ−ＲＯＭに記憶された物質特性可視化プログラムの概要を示す模式図である。
【図４】本発明の一例としての物質特性可視化装置の機能ブロック図である。
【図５】図４に示す物質特性可視化装置において行われる物質特性可視化方法の各過程を示したフローチャートである。
【図６】図５に示すステップＳ１２で作成された総合自己組織化マップを示す図である。
【図７】図５に示すステップＳ１２で作成された、メルトフローレートについての個別自己組織化マップを画像表示装置に表示させたときの表示画面を示す図である。
【図８】図６に示す総合自己組織化マップに１点鎖線の円を追加した図である。
【図９】（ａ）は荷重たわみ温度についての個別自己組織化マップを示す図であり、（ｂ）はシャルピー衝撃強度についての個別自己組織化マップを示す図である。
【図１０】物質に関するデータが関連付けられたノードが指定されることで、ＩＲチャートが表示された例を示す図である。
【図１１】物質に関するデータが関連付けられたノードが指定されることで、成分組成比のグラフが表示された例を示す図である。
【図１２】２つのノードが指定されることで物性値の比較表示が行われる例を示す図である。
【発明を実施するための形態】
【００２８】
以下図面を参照して本発明の実施形態を説明する。
【００２９】
図１は、本発明の物質特性可視化装置の一実施形態を含むコンピュータシステムの一例を示す模式図である。
【００３０】
この図１に示すシステム１００は、本発明の物質特性可視化装置の一実施形態として動作するサーバ用コンピュータ２００と、インターネットやＬＡＮに代表される電気通信網４００でサーバ用コンピュータ２００と相互に接続されている複数の端末用コンピュータ３００，３１０とで構成されている。
【００３１】
ここで、サーバ用コンピュータ２００は、外観構成上、本体装置２１０、その本体装置２１０からの指示に応じて表示画面２２０ａ上に画像を表示する画像表示装置２２０、本体装置２１０に、キー操作に応じた各種の情報を入力するキーボード２３０、および、表示画面２２０ａ上の任意の位置を指定することにより、その位置に表示された、例えばアイコン等に応じた指示を入力するマウス２４０を備えている。さらに、本体装置２１０は、外観上、ＵＳＢ（Ｕｎｉｖｅｒｓａｌ  Ｓｅｒｉａｌ  Ｂｕｓ）コネクタ差込口２１０ａや、ＣＤ−ＲＯＭやＤＶＤ−ＲＯＭを装填するためのディスク装填口２１０ｂを有する。
【００３２】
複数の端末用コンピュータ３００，３１０はいずれも、ハードウェア上はサーバ用コンピュータ２００と同様な構成を備えている。端末用コンピュータ３００，３１０における、キーボードからの入力データやマウスによる指示データは、電気通信網４００を経由してサーバ用コンピュータ２００に送られる。また、端末用コンピュータ３１０の画像表示装置には、電気通信網４００を経由してサーバ用コンピュータ２００から送られてきた画像が表示される。
【００３３】
続いて、本発明の一実施形態であるサーバ用コンピュータ２００についてさらに説明する。
【００３４】
図２は、図１に外観を示すサーバ用コンピュータのハードウェア構成図である。
【００３５】
図１に示すサーバ用コンピュータ２００の本体装置２１０の内部には、図２に示すように、各種プログラムを実行するＣＰＵ２１１、ハードディスク装置２１３に格納されたプログラムが読み出されＣＰＵ２１１での実行のために展開される主メモリ２１２、各種プログラムやデータ等が保存されたハードディスク装置２１３、ＣＤ−ＲＯＭ９１１やＤＶＤ−ＲＯＭ９１２が装填され、その装填されたＣＤ−ＲＯＭ９１１やＤＶＤ−ＲＯＭ９１２をアクセスするディスクドライブ２１５、汎用インタフェースの一種であるＵＳＢの規格に準拠したＵＳＢインタフェース２１４や、処理したデータを通信回線に送り出す通信インタフェース２１６が内蔵されており、これらの各種要素と、さらに図１にも示す画像表示装置２２０、キーボード２３０、マウス２４０は、バス２５０を介して相互に接続されている。
【００３６】
ここで、図２に示すＤＶＤ−ＲＯＭ９１２には、サーバ用コンピュータ２００を物質特性可視化装置として動作させる物質特性可視化プログラムが記憶されている。なお、ＤＶＤ−ＲＯＭ９１２に代えて、ＣＤ−ＲＯＭ９１１であってもよく、ＵＳＢメモリに代表される固体記憶素子であってもよい。また、インターネットやＬＡＮに代表される電気通信網を介してコンピュータに提供する形態もあり得る。
【００３７】
物質特性可視化プログラムが記憶されているＤＶＤ−ＲＯＭ９１２は、ディスクドライブ２１５に装填され、ＤＶＤ−ＲＯＭ９１２に記憶された物質特性可視化プログラムがサーバ用コンピュータ２００にアップロードされてハードディスク装置２１３に記憶される。
【００３８】
図３は、ＤＶＤ−ＲＯＭに記憶された物質特性可視化プログラムの概要を示す模式図である。
【００３９】
このＤＶＤ−ＲＯＭ９１２に記憶された物質特性可視化プログラム１０は、取得部１１、自己組織化マップ作成部１２、データ関連付け部１３、ノード指定部１４、種類指定部１５、およびマップ表示部１６から構成されている。
【００４０】
この物質特性可視化プログラム１０を構成する各構成要素１１〜１６の作用については、以下に図４を用いて説明する、本発明の一例としての物質特性可視化装置の機能と合わせて説明する。
【００４１】
図４は、本発明の一例としての物質特性可視化装置の機能ブロック図である。
【００４２】
この物質特性可視化装置２０は、取得部２１、自己組織化マップ作成部２２、データ関連付け部２３、ノード指定部２４、種類指定部２５、およびマップ表示部２６を備えている。
【００４３】
ここで、この図４に示す物質特性可視化装置２０における各構成要素と、図３に示す物質特性可視化プログラム１０における各構成要素では、同じ名称のものは互いに対応している。すなわち、図４の物質特性可視化装置２０の各構成要素２１〜２６は、ハードウェアと、図３の物質特性可視化プログラムであるソフトウェアの組合せであるのに対し、図３の物質特性可視化プログラム１０の各構成要素１１〜１６はハードウェアとソフトウェアのうちのソフトウェア（アプリケーションプログラム）で構成されている。したがって、以下では図４の物質特性可視化装置２０の各構成要素２１〜２６を説明することで、図３の物質特性可視化プログラム１０の各構成要素１１〜１６の説明も兼ねるものとする。
【００４４】
図４に示す物質特性可視化装置２０には、図１に示すキーボード２３０から、複数の物質それぞれにおける複数種類（ここでは３種類以上）の物性値や、物質に関するデータが入力される。あるいは、物質特性可視化装置２０に入力用のソフトウェアがインストールされていれば、図１に示すＵＳＢコネクタ差込口２１０ａに、上記複数種類の物性値を表すデータや物質に関するデータを記憶したＵＳＢメモリを差し、入力用のソフトウェアを用いて簡単に入力することができる。さらには、端末用コンピュータ３００，３１０から電気通信網４００を介して上記複数種類の物性値を表すデータや物質に関するデータを入力することも可能である。なお、複数の物質は、予め組成が異なっていることがわかっているものであってもよいし、全く組成がわからないものであってもよい。
【００４５】
ここでの複数種類の物性値としては、例えば、物質の強さを評価することができる、引張り強さの値やシャルピー衝撃強度の値や密度の値、物質の剛性を評価することができる曲げ弾性率の値、物質の耐熱性を評価することができる荷重たわみ温度の値、物質の外観（透明度）を評価することができる曇り度の値、物質の成形性を評価することができるメルトフローレイトの値等があげられる。これらの物性値は、物質のカタログデータで表される値であってもよいし、実際に測定した値であってもよいが、同一条件下における同一測定方法によって得られた値である必要がある。例えば、曇り度の値は、所定のヘイズメーターを用いて、同一条件下において同一測定方法によって測定した値であってもよい。なお、ＩＳＯ規格やＪＩＳ規格等の所定の規格で定められた、同一条件下における同一測定方法によって得られた値であることが好ましい。なお、物性値の他に、視覚や触覚などによる官能評価の結果を表す値等も入力してもよい。
【００４６】
また、物質に関するデータとしては、赤外吸収分析（ＩＲ）チャートや既知の成分組成等、その物質を表すデータがあげられる。
【００４７】
入力された物性値や物質に関するデータは図４に示す取得部２１によって取得される。
【００４８】
自己組織化マップ作成部２２では、東京大学船津研究室で開発された、Ｋｏｈｏｎｅｎのニューラルネットワークに基づくＣｈｅｍｉｓｈ  ｓｔａｎｄａｒｄ版  Ｖｅｒ．４．６０のソフトウェアにおける計算が実行される。
【００４９】
Ｋｏｈｏｎｅｎのニューラルネットワークは、入力層と出力層からなっており、出力層の２次元平面上にはニューロンが並べられている。まずサンプルが入力層を通してネットワークへと入力され、勝者ニューロンの探索が行われる。出力層上の各ニューロンの重みベクトルと、入力ベクトルとの間で距離が計算され、最も近いニューロンが勝者ニューロンとして選択される。そして選択された勝者ニューロンとその近傍のニューロンの重みベクトルを、入力ベクトルへと近づく方向へと修正する。すべての入力ベクトルについてこの操作を行うことで１世代の学習が完了する。そして、十分収束するまでこれを繰り返すことにより、自己組織化学習が行われる。その結果、入力空間において近い距離にあるサンプルは出力層上においても近い位置へ、遠くにあるサンプルは遠い位置へと写像される。つまり、トポロジカル情報を保持したまま、入力空間のサンプルが２次元マップへと非線形写像される。
【００５０】
自己組織化マップは、Ｘ軸とＹ軸の２次元座標にノード（格子点）が規則的に配列されたマップとして作成されるが、Ｚ軸についてはマップがカラー化されていれば色の違いによって表され、グレースケールの場合には色の濃淡によって表される。また、このマップは、本来、マップ上辺とマップ下辺が一致した筒状、かつマップ左辺とマップ右辺も一致させたいわゆるドナーツ状のものを平面に展開したものである。
【００５１】
自己組織化マップ作成部２２では、マップサイズ、学習回数等を操作に応じて変更することができる。マップサイズは出力層の一辺のニューロン数（例えば、１０）であり、学習回数は学習を繰り返す数（例えば、２００）である。また、トーラスマッピングを用いて、マップの上辺と下辺、右辺と左辺がそれぞれ隣接しているものとして近傍範囲の計算を行う。こうすることで、多次元空間から２次元平面への写像を無理なく行うことができる。また、オートスケーリングを用いて、入力サンプルの各記述子が平均０、分散１となるようにスケーリングされる。これにより、各記述子の平均値や分散の違いに影響を受けないモデリングが可能となる。
【００５２】
以上説明した自己組織化マップ作成部２２は、２次元マップにおける複数のノードのうち、一つの物質につき一つのノードに、複数種類の物性値を対応付け、類似関係を表す自己組織化マップを作成する。すなわち、多変量解析を行って、複数種類の物性値それぞれの類似度を加味した２次元マップを作成する。ここにいう自己組織化マップは、一つのノードに複数種類の物性値を対応付けた総合自己組織化マップに相当する。総合自己組織化マップとしては、例えば、Ｕ−マトリックス図を用いることができ、ここでは、そのＵ−マトリックス図を用いた例を説明する。なお、平面上にマップを作成する他に、曲面上、あるいは３次元空間にマップを作成してもよい。
【００５３】
マップ表示部２６は、自己組織化マップ作成部２２が作成した自己組織化マップを、図１に示すサーバ用コンピュータ２００の画像表示装置２２０に表示させたり、あるいは電気通信網４００を介して端末用コンピュータ３００，３１０の画像表示装置に表示させたりする。
【００５４】
データ関連付け部２３は、物性値が対応付けられたノードに、取得部２１によって取得された物質に関するデータを関連付ける。すなわち、物性値が対応付けられたノードに、対応付けた物性値の物質に関するデータを関連付ける。
【００５５】
ノード指定部２４は、サーバ用コンピュータ２００の画像表示装置２２０に表示された自己組織化マップにおけるノードを、図１に示すマウス２４０が操作されることで指定する。あるいは、端末用コンピュータ３００，３１０の画像表示装置に表示された自己組織化マップにおけるノードが、端末用コンピュータ３００，３１０側で選択されると、電気通信網４００を介して選択結果を受け取り、当該ノードを指定する。
【００５６】
後述するように、画像表示装置の表示画面上には、複数種類の物性値の名称一覧がホップアップメニューで表示される。種類指定部２５は、表示された名称一覧の中から、マウス等が操作されることで、一種類の物性値の名称が、サーバ用コンピュータ２００側で選択されると、当該名称の物性値を指定し、端末用コンピュータ３００，３１０側で選択されると、電気通信網４００を介して選択結果を受け取り、当該名称の物性値を指定する。
【００５７】
マップ表示部２６は、データ関連付け部２３によって、物質に関するデータが関連付けられたノードがノード指定部２４で指定されることで、当該データも、図１に示すサーバ用コンピュータ２００の画像表示装置２２０に表示させたり、あるいは電気通信網４００を介して端末用コンピュータ３００，３１０の画像表示装置に表示させたりする。その際、当該データを、自己組織化マップに重ねて表示させてもよいし、画面を切り替えて表示させてもよい。また、マップ表示部２６は、複数種類の物性値のうち一種類の物性値が種類指定部２５で指定されることで、一つのノードに当該一種類の物性値を対応付け、当該一種類の物性値の類似関係を表す個別自己組織化マップも、サーバ用コンピュータ２００の画像表示装置２２０に表示させたり、あるいは電気通信網４００を介して端末用コンピュータ３００，３１０の画像表示装置に表示させたりする。この個別自己組織化マップとしては、例えば、重みＸマップを用いることができ、ここでは、その重みＸマップを用いた例を説明する。総合自己組織化マップが既に表示されている場合には、総合自己組織化マップに代えて個別自己組織化マップが表示されるが、個別自己組織化マップを総合自己組織化マップに重ねて表示させてもよい。個別自己組織化マップを用いれば、着目したい個々の物性値も容易に比較することができる。
【００５８】
図５は、図４に示す物質特性可視化装置において行われる物質特性可視化方法の各過程を示したフローチャートである。
【００５９】
値入力過程（ステップＳ１１）では、図１に示すサーバ用コンピュータ２００のキーボード２３０から複数の物質それぞれにおける複数種類（ここでは３種類以上）の物性値を入力する。あるいは、端末用コンピュータ３００，３１０から電気通信網４００を介して上記複数種類の物性値を表すデータを入力する。
【００６０】
自己組織化マップ作成過程（ステップＳ１２）では、図２に示すサーバ用コンピュータ２００のＣＰＵ２１１が、ノードが規則的に配列された２次元マップにおける複数のノードのうち、一つの物質につき一つのノードに、上記ステップＳ１１で入力された複数種類の物性値を対応付け、一つのノードにそれら複数種類の物性値を対応付けた総合自己組織化マップを作成する。また、このステップＳ１２では、一つのノードに複数種類の物性値それぞれを対応付け、一種類の物性値ごとの類似関係を表す複数種類の個別自己組織化マップも作成する。
【００６１】
データ入力過程（ステップＳ１３）では、例えば、サーバ用コンピュータ２００のＵＳＢコネクタ差込口２１０ａに、ステップＳ１１で物性値を入力した物質に関するデータを記憶したＵＳＢメモリを差し、物質に関するデータ（例えば、ＩＲチャートや成分組成等）を取り込む。また、ＵＳＢコネクタ差込口２１０ａにスキャナを接続し、ＩＲチャートや画像をスキャナで読み込ませて、サーバ用コンピュータ２００に入力する。さらには、端末用コンピュータ３００，３１０から電気通信網４００を介して物質に関するデータを取り込んでもよい。
【００６２】
データ関連付け過程（ステップＳ１４）では、図２に示すサーバ用コンピュータ２００のＣＰＵ２１１が、ステップＳ１１で入力された物性値が対応付けられたノードに、ステップＳ１３で入力された物質に関するデータを関連付ける。このステップＳ１４では、物性値が対応付けられたノードに、対応付けた物性値の物質に関するデータを関連付ける。
【００６３】
マップ表示過程（ステップＳ１５）は、図２に示すサーバ用コンピュータ２００のＣＰＵ２１１によって実行される。このステップＳ１５では、ステップＳ１２で作成された総合自己組織化マップを、図１に示すサーバ用コンピュータ２００の画像表示装置２２０に表示したり、あるいは電気通信網４００を介して端末用コンピュータ３００，３１０の画像表示装置に表示する。また、ステップＳ１４で物質に関するデータが関連付けられたノードが指定されることで、当該データも、サーバ用コンピュータ２００の画像表示装置２２０に表示したり、あるいは電気通信網４００を介して端末用コンピュータ３００，３１０の画像表示装置に表示する。さらに、複数種類の物性値のうち一種類の物性値が指定されることで、当該一種類の物性値の類似関係を表す個別自己組織化マップも、サーバ用コンピュータ２００の画像表示装置２２０に表示したり、あるいは電気通信網４００を介して端末用コンピュータ３００，３１０の画像表示装置に表示する。
【００６４】
なお、本実施形態では、ステップＳ１２において、複数種類の物性値総てについての個別自己組織化マップを作成するが、物性値が指定された時点で、当該物性値についての個別自己組織化マップを作成するようにしてもよい。
【００６５】
図６は、図５に示すステップＳ１２で作成された総合自己組織化マップを示す図である。
【００６６】
図６に示す総合自己組織化マップは、Ｘ軸×Ｙ軸が１０×１０のマップであり、１００個のノードが格子状に配列されている。このマップは、Ａ社〜Ｈ社それぞれのいくつかの透明ＡＢＳ樹脂グレードと、一般的なＡＢＳ樹脂と、一般的なＭＳ（メチルメタクリレート・スチレン）樹脂を試料にして作成したマップである。なお、試料（物質）は、ＡＢＳ樹脂に限らず、様々な樹脂であってもよいし、金属等であってもよい。
【００６７】
ここでの各試料の詳細は、Ａ社製の透明ＡＢＳ樹脂が、標準グレード（Ａ標準）と、耐薬品性に優れたグレード（Ａ耐薬）の２グレードである。Ｂ社製の透明ＡＢＳ樹脂は、標準グレード（Ｂ標準）、帯電防止に優れたグレード（Ｂ帯電防止）、高剛性のグレード（Ｂ高剛）、押出性に優れたグレード（Ｂ押出）、および耐衝撃性に優れたグレード（Ｂ耐衝撃）の５グレードである。Ｃ社製の透明ＡＢＳ樹脂は、標準グレード（Ｃ標準）と、流動性に優れたグレード（Ｃ流動）の２グレードである。Ｄ社製の透明ＡＢＳ樹脂は、標準グレード（Ｄ標準）と、耐熱性に優れかつ高剛性のグレード（Ｄ耐熱・高剛）と、高強度のグレード（Ｄ高強度）の３グレードである。Ｅ社製の透明ＡＢＳ樹脂は、標準グレード（Ｅ標準）、難燃性のグレード（Ｅ難燃）、耐薬品性に優れたグレード（Ｅ耐薬）、帯電防止に優れたグレード（Ｅ帯電防止）、高剛性のグレード（Ｅ高剛）、および耐熱性に優れたグレード（Ｅ耐熱）の６グレードである。Ｆ社製の透明ＡＢＳ樹脂は、Ｉグレード（ＦＩ）と、ＩＩグレード（ＦＩＩ）と、ＩＩＩグレード（ＦＩＩＩ）の３グレードである。Ｇ社製の透明ＡＢＳ樹脂は、帯電防止に優れたグレード（Ｇ帯電防止）、高衝撃性のグレード（Ｇ高衝撃）、中衝撃性のグレード（Ｇ中衝撃）、および高剛性のグレード（Ｇ高剛性）の４グレードである。Ｈ社製の透明ＡＢＳ樹脂は、標準グレードであって帯電防止に優れたグレード（Ｈ標準・帯電防止）と、高透明のグレード（Ｈ高透明）の２グレードである。また、一般的なＡＢＳ樹脂は、マップ作成者が一般的と認めたＡＢＳ樹脂（一般ＡＢＳ）であり、一般的なＭＳ樹脂は、同じくマップ作成者が一般的と認めたＭＳ樹脂（一般ＭＳ）である。
【００６８】
図６に示す総合自己組織化マップは、以上説明した各試料それぞれについて、引張り強さの値、シャルピー衝撃強度の値、密度の値、曲げ弾性率の値、荷重たわみ温度の値、メルトフローレイトの値を、各試料のカタログ値に基づいて入力し、曇り度の値は実測した値を入力し、一つの試料につき一つのノードに、これら複数種類の物性値を対応付けたものになっている。例えば、Ｃ社製の標準グレード（Ｃ標準）は、Ｘ座標の値が５，Ｙ座標の値が７となるノードに対応付けられており、このノードには、Ｃ社製の流動性に優れたグレード（Ｃ流動）も対応付けられている。
【００６９】
自己組織化マップは、各試料が対応付けられたノードどうしの距離から各試料の相関関係を読み取ることができる。すなわち、距離が近いものほど全体としての特性が似ており、距離が遠いものほど全体としての特性が似ていないことがわかる。ここで、図６に示す総合自己組織化マップは、グレースケールで表されており、色の濃淡によってもノードどうしの距離が変わってくる。すなわち、マップ上の色の濃淡は、ノード間の距離をクラスターの境界である壁の高さとして表しており、マップの左側のスケールで示すように、色が濃いほど境界の壁が高く、離れていることになり、色が薄いほど境界の壁が低く、近いことになる。したがって、Ｘ座標の値が２，Ｙ座標の値が９となるノードに対応付けられた白抜きの四角のプロットを基準に見ると、Ｘ座標の値が４，Ｙ座標の値が９となるノードに対応付けられた白抜きの△のプロットよりも、Ｘ座標の値が０，Ｙ座標の値が９となるノードに対応付けられたＥ社製の難燃性のグレード（Ｅ難燃）の方が、全体としての特性が似ていることになる。
【００７０】
図６に示す総合自己組織化マップ全体として見ると、各透明ＡＢＳ樹脂グレードと一般的なＡＢＳ（一般ＡＢＳ）及び一般的なＭＳ樹脂（一般ＭＳ）との境界は比較的低いものの、およそ３つのクラスターに分類することができる。図６では、第１の分類の範囲を点線で囲み、第２の分類の範囲を１点鎖線で囲み、第３の分類の範囲を２１点鎖線で囲んでいる。なお、上述のごとく、図６に示す総合自己組織化マップは、本来、マップ上辺とマップ下辺が一致した筒状、かつマップ左辺とマップ右辺も一致させたいわゆるドナーツ状のものを平面に展開したものであるため、第１の分類は、図６に示す２次元状のマップの四隅に分かれている。
【００７１】
またＨ社製の高透明のグレード（Ｈ高透明）とＤ社製の耐熱性に優れかつ高剛性のグレード（Ｄ耐熱・高剛）は同じノード（Ｘ座標の値が７，Ｙ座標の値が０となるノード）に対応付けられている。また、Ｆ社製のＩグレード（ＦＩ），ＩＩグレード（ＦＩＩ）は、一般的なＭＳ樹脂（一般ＭＳ）と同じノード（Ｘ座標の値が５，Ｙ座標の値が０となるノード）に対応付けられており、これらのＦ社製のグレード（ＦＩ，ＦＩＩ）は、ＡＢＳ樹脂よりもＭＳ樹脂に近い性質を有しているといえる。
【００７２】
さらに、各社標準グレード間の比較を行うと、Ａ社製の標準グレード（Ａ標準）はＸ座標の値が１，Ｙ座標の値が２となるノードに対応付けられており、Ｂ社製の標準グレード（Ｂ標準）はＸ座標の値が７，Ｙ座標の値が３となるノードに対応付けられており、Ｃ社製の標準グレード（Ｃ標準）はＸ座標の値が５，Ｙ座標の値が７となるノードに対応付けられており、Ｄ社製の標準グレード（Ｄ標準）はＸ座標の値が８，Ｙ座標の値が２となるノードに対応付けられており、Ｅ社製の標準グレード（Ｅ標準）はＸ座標の値が０，Ｙ座標の値が３となるノードに対応付けられている。各社標準グレードは、マップ全体に分散しており、まとまりや相関関係は認められず、同じグレード名であってもメーカーにより全体としての特性はそれぞれ異なっているということがわかる。
【００７３】
以上説明したように、図６に示す総合自己組織化マップによれば、複数の物質どうしにおける物質全体としての特性を容易に比較することができる。
【００７４】
次に、代替材料の選定を行う例について説明する。
【００７５】
例えば、Ｈ社製の高透明のグレード（Ｈ高透明）を、より流動性の高い物質へと変更したい場合にはまず、全体の相関関係を把握できる総合自己組織化マップを用いる。図６に示す総合自己組織化マップでは、Ｈ社製の高透明のグレード（Ｈ高透明）は、Ｘ座標の値が７，Ｙ座標の値が４となるノードに対応付けられている。このノードに近いノードに対応付けられている他の試料を探すと、Ｂ社製の標準グレード（Ｂ標準）、Ｂ社製の押出性に優れたグレード（Ｂ押出）、Ｂ社製の耐衝撃性に優れたグレード（Ｂ耐衝撃）、Ｄ社製の標準グレード（Ｄ標準）、およびＥ社製の耐熱性に優れたグレード（Ｅ耐熱）の５つがリストアップされる。
【００７６】
次いで、向上させたい物性の個別自己組織化マップを用いて代替材料の候補をさらに絞る。
【００７７】
図７は、図５に示すステップＳ１２で作成された、メルトフローレートについての個別自己組織化マップを画像表示装置に表示させたときの表示画面を示す図である。
【００７８】
画像表示装置の表示画面２２０ａには、所定の操作を行うと、複数種類の物性値の名称一覧がホップアップメニュー２２１で表示される。操作者は、このホップアップメニュー２２１で表示された７種類の物性値の名称の中から、マウス操作によって所望の物性値の名称にカーソルＣ１を合わせた状態で、決定操作を行う。ここでは、ＭＦＲ（メルトフローレート）に決定される。
【００７９】
すると、図６に示す総合自己組織化マップに代わってＭＦＲについての個別自己組織化マップが表示される。図７には、こうして表示されたＭＦＲについての個別自己組織化マップが示されている。
【００８０】
図７に示す個別自己組織化マップは、Ｘ軸×Ｙ軸が９×９のマップであるが、これは、Ｘ軸×Ｙ軸が１０×１０のマップのうち、Ｘ座標が０〜９かつＹ座標も０〜９の範囲を切り出したものであり、Ｘ軸×Ｙ軸が１０×１０のマップ全体を表示させてもよい。また、図７に示す個別自己組織化マップに限ったことではなく、他の物性についての個別自己組織化マップでも同じであるが、個別自己組織化マップでは、総合自己組織化マップにおいて各試料が対応付けられたノードと同じノードに同じ試料が対応付けられている。さらに、個別自己組織化マップでも、各試料が対応付けられたノードどうしの距離から各試料の相関関係を読み取ることができる。図７に示す個別自己組織化マップも、図６に示す総合自己組織化マップと同じく、グレースケールで表されており、色の濃淡によってもノードどうしの距離が変わってくる。すなわち、マップの右側のスケールで示すように、色が濃いほど境界の壁が高く、離れていることになり、色が薄いほど境界の壁が低く、近いことになる。
【００８１】
図７に示すＭＦＲについての個別自己組織化マップでは、説明を分かりやすくするために、Ｈ社製の高透明のグレード（Ｈ高透明）を従来品として記し、総合自己組織化マップでリストアップされた５つのグレードが属する範囲を点線で表している。
【００８２】
この個別自己組織化マップを使った選択では、色がより濃いグレード、すなわちＭＦＲの値が比較的高いグレードを探すことが容易であり、ここでは、Ｂ社製の耐衝撃性に優れたグレード（Ｂ耐衝撃）と、Ｄ社製の標準グレード（Ｄ標準）を代替材料の最終的な候補として選択する。こうして選定した二つのグレードを用い、試作、実生産に移ることができれば、効率的な樹脂選択が可能になる。
【００８３】
なお、図７に示すホップアップメニュー２２１の「総合自己組織化マップ」の領域をマウス操作でクリックすると、表示画面２２０ａには、個別自己組織化マップに代えて総合自己組織化マップが表示される。
【００８４】
続いて、新たなグレード開発への応用例について説明する。
【００８５】
図８は、図６に示す総合自己組織化マップに点線の円を追加した図である。
【００８６】
作成した総合自己組織化マップ上には、いずのグレードも対応付けられていない非対応ノードが存在する。図８は、この非対応ノードが、ある程度の範囲に存在する領域を点線の円Ｂ１〜Ｂ４で囲んでみた図である。点線の円Ｂ１〜Ｂ４で囲まれた領域は、未だ市場に登場していないグレードを表す空白域と見ることができ、新たなグレードを創出するなど、シーズ開拓のツールとして活用することができる。
【００８７】
まず、図８に示すように、総合自己組織化マップ上において標的とする空白域を選択し、各物性を個別自己組織化マップによって確認する。ここでは、図８に示す点線の円Ｂ１に着目してみる。
【００８８】
図９（ａ）は荷重たわみ温度についての個別自己組織化マップを示す図であり、同図（ｂ）はシャルピー衝撃強度についての個別自己組織化マップを示す図である。
【００８９】
図９に示すそれぞれの個別自己組織化マップにも、点線の円Ｂ１を示してある。これらの個別自己組織化マップから、点線の円Ｂ１で囲まれた空白域では、荷重たわみ温度、シャルピー衝撃強度について中程度の値を示すグレードを開発することができることがわかる。
【００９０】
図１０は、物質に関するデータが関連付けられたノードが指定されることで、ＩＲチャートが表示された例を示す図である。
【００９１】
表示画面２２０ａに図６に示す総合自己組織化マップが表示されている状態で、操作者が、物性値が対応付けられているノード、すなわち、黒丸がプロットされているノードにカーソルの矢印Ｃ２を合わせた状態で決定操作を行い、所望のグレードを選択する。ここでは、Ｅ社製の耐熱性に優れたグレード（Ｅ耐熱）が選択されている。
【００９２】
所望のグレードが選択されると、その表示画面２２０ａには、物質に関する表示データの名称一覧がホップアップメニュー２２２で表示される。図１０に示すホップアップメニュー２２２には、物質に関する表示データ名として、物性値、赤外線スペクトル、成分組成比、製品情報が示されており、各表示データ名の先頭にはチェックボックスが用意されている。ここでは、赤外線スペクトルのチェックボックスにチェックが入れられる。
【００９３】
すると、総合自己組織化マップの左横に、選択された所望のグレード（ここではＥ耐熱）のＩＲチャート２２３が表示される。
【００９４】
図１１は、物質に関するデータが関連付けられたノードが指定されることで、成分組成比のグラフが表示された例を示す図である。
【００９５】
この図１１に示す例では、ホップアップメニュー２２２の、成分組成比のチェックボックスにチェックが入れられる。
【００９６】
すると、総合自己組織化マップの左横に、選択された所望のグレード（ここではＥ耐熱）の成分組成比のグラフ２２４が表示される。
【００９７】
以上説明した、図１０に示す例や図１１に示す例では、物質全体としての特性を容易に把握することができるとともに、物質に関するデータを個別に参照することもでき、総合的な観点と個別的な観点といった２つの観点から材料選択等を行うことが可能になる。
【００９８】
図１２は、２つのノードが指定されることで物性値の比較表示が行われる例を示す図である。
【００９９】
表示画面２２０ａに図６に示す総合自己組織化マップが表示されている状態で、操作者が、物性値が対応付けられているノード（黒丸のプロット）のうち、所望のグレードが対応付けられた第一のノード（ここではＥ耐熱のノード）にカーソルの矢印Ｃ２を合わせた状態でクリックし、比較したいグレードが対応付けられた第二のノード（ここではＣ標準のノード）までドラッグすると、第一のノードと第二のノードを結ぶ矢印Ａが表示される。さらに、表示画面２２０ａには、総合自己組織化マップの左側の一部に被さるようにＥ耐熱の成分組成比とＣ標準の成分組成比を対比したグラフ２２５が表示されるとともに、総合自己組織化マップの右下部分に被さるようにＥ耐熱とＣ標準それぞれの各物性値を表すレーダチャートグラフ２２６も表示される。
【０１００】
この図１２に示す例では、２つのグレード（物質）を多面的に比較することができる。
【０１０１】
以上の説明では、複数の物質それぞれにおける複数の物性値につき総合自己組織化マップとしてＵ−マトリックス図を作成したり、一種類の物性の類似関係を表す個別自己組織化マップとして重みＸマップを作成したが、上述のごとく、視覚や触覚などによる官能評価の結果を表す値等も加えてＵ−マトリックス図を作成してもよい。また、総合自己組織化マップはＵ−マトリックス図に限られず、個別自己組織化マップも重みＸマップに限られない。
【符号の説明】
【０１０２】
１０    物質特性可視化プログラム
２０    物質特性可視化装置
１１，２１    取得部
１２，２２    自己組織化マップ作成部
１３，２３    データ関連付け部
１４，２４    ノード指定部
１５，２５    種類指定部
１６、２６    マップ表示部
２００    サーバ用コンピュータ
２１０    本体装置
ＣＰＵ    ＣＰＵ
２１２    主メモリ
２１３    ハードディスク装置
２２０    画像表示装置
２２０ａ    表示画面
２３０    キーボード
２４０    マウス
３００，３１０    端末用コンピュータ
４００    電気通信網
９１２    ＤＶＤ−ＲＯＭ
【図１】
2014026459.tif 000003
【図２】
2014026459.tif 000004
【図３】
2014026459.tif 000005
【図４】
2014026459.tif 000006
【図５】
2014026459.tif 000007
【図６】
2014026459.tif 000008
【図７】
2014026459.tif 000009
【図８】
2014026459.tif 000010
【図９】
2014026459.tif 000011
【図１０】
2014026459.tif 000012
【図１１】
2014026459.tif 000013
【図１２】
2014026459.tif 000014